(57)【要約】【課題】  建設機械の運転状態の変化を可能な限り排除したデータの採取を行うことでエンジンの状態を正確に把握して、エンジン異常を正確に予測し、エンジンの正確な予防保全を図ることができる建設機械のエンジン管理装置を提供する。【解決手段】  エンジン管理装置はエンジンモニタ部２１と、このエンジンモニタ部２１に接続され、通信を行う無線機２６と、この無線機２６に接続されたアンテナ２７と、インジケータ２５とを備えている。エンジンモニタ部２１は電気レバー制御部１９及びエンジン制御部２０と接続され、電気レバー制御部１９からは作業者が入力した操作信号、例えばブーム上げ操作信号等を入力し、エンジン制御部２０からスロットルダイヤル２２の位置情報（目標回転数）、エンジン回転数センサー２３の検出信号、オートアイドルスイッチ２４の信号を入力する。【選択図】  図２
2005226493.tif 000002
【特許請求の範囲】
【請求項１】
エンジンと、このエンジンにより駆動される可変容量型の油圧ポンプと、この油圧ポンプからの吐出圧油により駆動される油圧アクチュエータとを備えた建設機械のエンジン管理装置において、
前記エンジンの回転数を検出する回転数検出手段と、
前記エンジンに予め定められた負荷が投入されたことを検出し、この検出結果を信号として出力する負荷投入検出手段と、
この負荷投入検出手段の検出信号に基づいて前記回転数検出手段で検出された検出値を取り込み、エンジン回転数の一次データとして記憶する第１処理手段と、
前記第１処理手段におけるエンジン回転数の一次データを集計し、所定時間毎のエンジン回転数の二次データを作成し、これを前記エンジンの予防保全に係わるエンジン回転数のトレンドデータとして出力する第２処理手段とを備えることを特徴とする建設機械のエンジン管理装置。
【請求項２】
請求項１記載の建設機械のエンジン管理装置において、
前記負荷投入検出手段は、前記油圧アクチュエータにより駆動される所定の作業部材が所定の操作をされたかどうかを検出する手段であることを特徴とする建設機械のエンジン管理装置。
【請求項３】
請求項２記載の建設機械のエンジン管理装置において、
前記建設機械はブームを有するフロント作業機を備え、
前記所定の作業部材は前記ブームであり、
前記負荷投入検出手段は、前記ブームが上げ操作されたかどうかを検出する手段であることを特徴とする建設機械のエンジン管理装置。
【請求項４】
請求項１記載の建設機械のエンジン管理装置において、
前記第１処理手段は、前記回転数検出手段の検出値として、前記予め定められた負荷投入後、所定時間経過後のエンジン回転数を取り込むことを特徴とする建設機械のエンジン管理装置。
【請求項５】
請求項１記載の建設機械のエンジン管理装置において、
前記第１処理手段は、前記回転数検出手段の検出値として、前記予め定められた負荷投入後の最も低いエンジン回転数を取り込むことを特徴とする建設機械のエンジン管理装置。
【請求項６】
請求項１記載の建設機械のエンジン管理装置において、
前記第２処理手段は、前記エンジンの予防保全に係わるエンジン回転数のトレンドデータとして前記エンジンのオーバーホール実施時期に係わるエンジン回転数のトレンドデータを作成する手段と、前記エンジン回転数のトレンドデータと前記エンジンのオーバーホール実施時期の判定基準値とを表示する表示手段とを有することを特徴とする建設機械のエンジン管理装置。
【請求項７】
請求項１記載の建設機械のエンジン管理装置において、
前記第２処理手段は、前記エンジンの予防保全に係わるエンジン回転数のトレンドデータとして前記エンジンの異常に係わるエンジン回転数のトレンドデータを作成する手段と、前記エンジン回転数のトレンドデータと前記エンジンの異常の判定基準値とを表示する表示手段とを有することを特徴とする建設機械のエンジン管理装置。
【請求項８】
請求項７記載の建設機械のエンジン管理装置において、
前記第２処理手段は、前記エンジン回転数のトレンドデータと前記エンジンの異常の判定基準値と比較し、警報を出力する警報手段を更に有することを特徴とする建設機械のエンジン管理装置。
【発明の詳細な説明】
【技術分野】
【０００１】
本発明は、エンジンを備えた油圧ショベル等の建設機械の管理装置に係わり、特に、大型の油圧ショベル等の建設機械のエンジンの予防保全を図る建設機械のエンジン管理装置に関する。
【背景技術】
【０００２】
建設機械、特に、大型の油圧ショベル等の建設機械は、例えば、広大な作業現場での土石掘削作業に供されている。上記の油圧ショベルは、その生産性向上のために、一般的に連続稼働されている。このため、エンジンに異常が発生すると、油圧ショベルの運転を停止し、その修理を行わなければならないが、エンジンの修理には長時間を要する場合が多く、油圧ショベルを長期間休止させなければならない事態が生じることがある。この場合、油圧ショベルによる生産作業が中断するので、生産計画の運用を変更しなければならない。
【０００３】
そこで、エンジンの状態量を検出し、健康診断をすることで、エンジンの異常を事前に予測する必要があり、例えば特開２００２−１８０８６２号公報には、エンジンを含む駆動装置の性能と関係する複数種類のデータ（例えば燃料消費量、冷却水温度、排気温度）をその運転中に検出し、これらの検出データを各種データの基準値とともに演算処理して一元化することにより、駆動装置の現状性能を数値化して表すことが提案されている。
【０００４】
【特許文献１】特開２００２−１８０８６２号公報
【発明の開示】
【発明が解決しようとする課題】
【０００５】
大型の油圧ショベル等の建設機械においては、エンジンのシリンダライナーが摩耗すると、エンジン出力が低下して、エンジン負荷率が上昇し、熱負荷が上昇するため、シリンダライナー焼き付き、エンジン破損に至るケースがある。上述したように、特に連続運転される大型の油圧ショベル等の建設機械では、エンジンに異常が発生すると、その修理のため油圧ショベルの運転を長期間休止しなければならず、この場合、油圧ショベルによる生産作業が中断するので、生産計画の運用を変更しなければならない。
【０００６】
特開２００２−１８０８６２号公報に記載の従来技術では、エンジンを含む駆動装置の性能と関係する複数種類のデータをその運転中に検出し、これらの検出データを一元化処理し、駆動装置の現状性能を数値化して表すことにより、エンジンの性能を評価している。しかし、この従来技術では、エンジンの状態量の検出は定期的に一定時間だけ行うか、或いは運転中に常時行っている。このため、状態量の検出値に建設機械の運転状態（作業状態）に依存する変動成分を含むものとなり、正確な診断が行うことができないという問題がある。
【０００７】
つまり油圧ショベル等の建設機械にあっては、建設機械の運転状態（作業状態）によってエンジンにかかる負荷が変化し、エンジンに係わる状態量は大きく変化する。例えば、ブーム上げ時はエンジン負荷が大となり、ブーム下げ時はエンジン負荷が小となる。エンジン負荷が大のときはエンジン負荷が小のときに比べ、エンジン回転数の低下量や燃料消費量は増え、排気温度等は高くなる。
【０００８】
特開２００２−１８０８６２号公報に記載の従来技術では、そのような運転状態の変化に係わらず、エンジンの状態量の検出は定期的に一定時間だけ行うか、運転中に常時行っているため、検出した状態量には運転状態の変化による変動量も含まれ、一元化処理で得た駆動装置の現状性能の数値も運転状態の変化に応じて変化するため、正確な診断を行うことができない。
【０００９】
本発明の目的は、建設機械の運転状態の変化による変動量を可能な限り排除したデータの採取を行うことでエンジンの状態を正確に把握して、エンジンの正確な予防保全を図ることができる建設機械のエンジン管理装置を提供することである。
【課題を解決するための手段】
【００１０】
（１）上記目的を達成するために、本発明は、エンジンと、このエンジンにより駆動される可変容量型の油圧ポンプと、この油圧ポンプからの吐出圧油により駆動される油圧アクチュエータとを備えた建設機械のエンジン管理装置において、前記エンジンの回転数を検出する回転数検出手段と、前記エンジンに予め定められた負荷が投入されたことを検出し、この検出結果を信号として出力する負荷投入検出手段と、この負荷投入検出手段の検出信号に基づいて前記回転数検出手段で検出された検出値を取り込み、エンジン回転数の一次データとして記憶する第１処理手段と、前記第１処理手段におけるエンジン回転数の一次データを集計し、所定時間毎のエンジン回転数の二次データを作成し、これを前記エンジンの予防保全に係わるエンジン回転数のトレンドデータとして出力する第２処理手段とを備えるものとする。
【００１１】
このように、エンジン回転数検出手段及び負荷投入検出手段と第１処理手段を設け、エンジンに予め定められた負荷が投入されたことが検出されると、その検出結果に基づいて回転数検出手段の検出値を取り込み、エンジン回転数の一次データとして記憶することにより、建設機械の運転状態の変化による変動量を可能な限り排除したデータの採取が可能となり、第２処理手段でそのエンジン回転数の一次データを集計し、所定時間毎のエンジン回転数の二次データを作成し、これをエンジンの予防保全に係わるエンジン回転数のトレンドデータとして、出力することにより、エンジンの状態を正確に把握して、エンジンの正確な予防保全を図ることができる。
【００１２】
（２）上記（１）において、好ましくは、前記負荷投入検出手段は、前記油圧アクチュエータにより駆動される所定の作業部材が所定の操作をされたかどうかを検出する手段である。
【００１３】
これにより、負荷投入検出手段は、エンジンに予め定められた負荷が投入されたことを検出することができる。
【００１４】
（３）上記（２）において、好ましくは、前記建設機械はブームを有するフロント作業機を備え、前記所定の作業部材は前記ブームであり、前記負荷投入検出手段は、前記ブームが上げ操作されたかどうかを検出する手段である。
【００１５】
これにより、負荷投入検出手段は、エンジンに予め定められた負荷が投入されたことを検出することができる。
【００１６】
（４）上記（１）において、好ましくは、前記第１処理手段は、前記回転数検出手段の検出値として、前記予め定められた負荷投入後、所定時間経過後のエンジン回転数を取り込むものである。
【００１７】
これにより、負荷投入直後のエンジン回転数の過渡的な変化による変動量を排除したデータ採取を行うことができ、エンジンの状態を正確に把握することができる。
【００１８】
（５）また、上記（１）において、好ましくは、前記第１処理手段は、前記回転数検出手段の検出値として、前記予め定められた負荷投入後の最も低いエンジン回転数を取り込むものである。
【００１９】
このように常に負荷投入後の最も低いエンジン回転数を取り込むことによっても、運転状態の変化による変動量を排除したデータ採取を行うことができ、エンジンの状態を正確に把握することができる。
【００２０】
（６）また、上記（１）において、好ましくは、前記第２処理手段は、前記エンジンの予防保全に係わるエンジン回転数のトレンドデータとして前記エンジンのオーバーホール実施時期に係わるエンジン回転数のトレンドデータを作成する手段と、前記エンジン回転数のトレンドデータと前記エンジンのオーバーホール実施時期の判定基準値とを表示する表示手段とを有する。
【００２１】
これによりその表示手段の表示内容を見てエンジンのオーバーホール実施時期を正確に予測することができ、オーバーホールのための事前の準備が可能となり、建設機械による生産作業の中断による影響を最小にとどめることができる。
【００２２】
（７）また、上記（１）において、好ましくは、前記第２処理手段は、前記エンジンの予防保全に係わるエンジン回転数のトレンドデータとして前記エンジンの異常に係わるエンジン回転数のトレンドデータを作成する手段と、前記エンジン回転数のトレンドデータと前記エンジンの異常の判定基準値とを表示する表示手段とを有する。
【００２３】
これによりその表示手段の内容を見て、例えば衝撃によるピストンリングの損傷等のエンジンの異常を正確に予測することができ、エンジン破損を未然に防止することができる。
【００２４】
（８）また、上記（７）において、好ましくは、前記第２処理手段は、前記エンジン回転数のトレンドデータと前記エンジンの異常の判定基準値と比較し、警報を出力する警報手段を更に有する。
【００２５】
これにより例えば衝撃によるピストンリングの損傷等のエンジンの異常を確実に把握することができ、エンジン破損を未然に防止することができる。
【発明の効果】
【００２６】
本発明によれば、エンジンの状態を正確に把握して、エンジンの正確な予防保全を図ることができる。
【００２７】
また、本発明によれば、エンジンのオーバーホール実施時期を正確に予測することができ、オーバーホールのための事前の準備が可能となり、建設機械による生産作業の中断による影響を最小にとどめることができる。
【００２８】
更に、本発明によれば、例えば衝撃によるピストンリングの損傷等のエンジンの異常を正確に予測することができ、エンジン破損を未然に防止することができる。
【発明を実施するための最良の形態】
【００２９】
以下、本発明の一実施形態を図面を参照しつつ説明する。
図１は、本発明の適用対象となる建設機械の一例として大型油圧ショベルの全体構造を表す側面図である。
【００３０】
この図１において、１は大型の油圧ショベルであり、この大型油圧ショベル１は下部走行体３と、この下部走行体３の上部に旋回可能に設けられた旋回体４と、この旋回体４の前部中央に俯仰動可能に設けられた多関節型のフロント作業機６とを備えている。下部走行体３は走行手段である無限軌道履帯（クローラ）２、２を左右両側に備え、この左・右の履帯２、２は左・右の走行用油圧モータ２ａ、２ａの回転駆動により動作するようになっている。旋回体４は前部左側に設けられた運転室５を備えるとともに、下部走行体３に対し旋回用油圧モータ（図示せず）により回転駆動するようになっている。フロント作業機６はブーム７と、ブーム７の先端に回動可能に設けられたアーム８と、アーム８の先端に回動可能に設けられたバケット９とを備え、ブーム７、アーム８、及びバケット９は、それぞれブーム用油圧シリンダ１０、アーム用油圧シリンダ１１、及びバケット用油圧シリンダ１２により回転動作するようになっている。
【００３１】
図２は、本発明の建設機械のエンジン管理装置の一実施形態の構成を建設機械の油圧駆動装置とともに表す図である。
【００３２】
この図２において、大型油圧ショベル１の油圧駆動装置はエンジン１３と主油圧ポンプ１５と前記ブーム用油圧シリンダ１０とを備えている。大型油圧ショベル１の油圧アクチュエータとしては、ブーム用油圧シリンダ１０以外に前記左・右の走行用油圧モータ２ａ、２ａ、前記旋回用油圧モータ（図示せず）、前記アーム用油圧シリンダ１１、前記バケット用油圧シリンダ１２等があるが、図２では省略している。エンジン１３は制御信号により燃料噴射量を変化させる電子制御ガバナー１４を備えている。主油圧ポンプ１５（以下単に油圧ポンプとする）はエンジン１３により駆動され、ブーム用油圧シリンダ１０（以下単にブームシリンダとする）はこの油圧ポンプ１５から吐出される圧油により駆動される。
【００３３】
また、大型油圧ショベル１の油圧駆動装置はパイロットポンプ１６と、油圧ポンプ１５からブームシリンダ１０に供給される圧油の流量を制御するコントロールバルブ１７と、ブームシリンダ１０の動作を指示するための電気レバー方式の操作レバー装置１８と、電気レバー制御部１９とを備えている。電気レバー制御部１９は操作レバー装置１８によりブーム７の操作信号（電気信号）が入力されると、操作信号に対し所定の演算処理を行い、駆動信号（制御信号）を生成し、電磁比例減圧弁１７ａ、１７ａに出力する。電磁比例減圧弁１７ａ、１７ａは電気レバー制御部１９から入力された駆動信号に応じてパイロットポンプ１６から出力された一次パイロット圧を減圧して操作パイロット圧を生成し、この操作パイロット圧をコントロールバルブ１７に出力し、コントロールバルブ１７の切り換えを行う。これにより作業者は操作レバー装置１８を操作し、ブーム７を駆動することができる。
【００３４】
また、大型油圧ショベル１の油圧駆動装置は、エンジン１３の目標回転数を指示するスロットルダイヤル２２と、エンジン１３の実回転数を検出するエンジン回転数センサー２３と、オートアイドルスイッチ２４と、エンジン制御部２０とを備えている。エンジン制御部２０はスロットルダイヤル２２の位置情報（目標回転数）とエンジン回転数センサー２３の検出信号（実回転数）とを入力して必要な燃料噴射量を算出し、それを基に電子制御ガバナー１４に制御信号を出力し、目標回転数に応じてエンジン１３の回転数を制御する。オートアイドルスイッチ２４はオートアイドル機能を作動させるためのモード選択スイッチであり、エンジン制御部２０はオートアイドルスイッチ２４の信号と操作レバー装置１８の操作信号を入力し、オートアイドルスイッチ２４がＯＮ（オートアイドルモードを選択する）位置にあるとき、作業者が操作レバー装置１８を一定時間操作しない場合に、エンジン１３をアイドル回転数に下げるよう電子制御ガバナー１４を制御する。
【００３５】
本実施の形態のエンジン管理装置は上記のような油圧駆動装置を備えた大型油圧ショベルに設けられるものであり、エンジンモニタ部２１と、このエンジンモニタ部２１に接続され、通信を行う無線機２６と、この無線機２６に接続されたアンテナ２７と、インジケータ２５とを備えている。エンジンモニタ部２１は電気レバー制御部１９及びエンジン制御部２０と接続され、電気レバー制御部１９からは作業者が入力した操作信号、例えばブーム上げ操作信号等を入力し、エンジン制御部２０からスロットルダイヤル２２の位置情報（目標回転数）、エンジン回転数センサー２３の検出信号、オートアイドルスイッチ２４の信号を入力する。エンジンモニタ部２１は上記の入力された各種信号情報に基づいて所定の処理を行い、無線機２６及びアンテナ２７を介して、後述の管理事務所２８にエンジン回転数情報を送信すると共に、エンジン異常が検出されるとインジケータ２５のランプを点灯し、作業者にエンジン１３の異常を知らせる。
【００３６】
本実施の形態のエンジン管理装置はまた、大型油圧ショベル１の外部に設置された管理事務所２８を備え、この管理事務所２８は演算表示装置２９と、この演算表示装置２９と接続され、通信を行う無線機３０と、この無線機３０と接続され、管理事務所２８の建屋外部に設けられたアンテナ３１とを備えている。演算表示装置２９は無線機３０及びアンテナ３１を介して、エンジンモニタ部２１から上記エンジン回転数情報を受信し、この情報に所定の処理を行い、管理者に対し表示する。管理者はこの表示を基にエンジン１３のオーバーホールの実施時期の予測や故障診断を行うとともに、その結果を作業者に知らせるための入力を行なう。演算表示装置２９はこの入力された指示をエンジンモニタ部２１に送信し、エンジンモニタ部２１はこの指示を受信して表示部に表示し、作業者に知らせる。
【００３７】
ここでは、管理事務所２８に対し大型油圧ショベルが１台の場合について説明しているが、大型油圧ショベルは複数でもよく、他の油圧作業機が併存していてもかまわない。更に無線機２６、３０を衛生を利用した無線機とすることで管理事務所２８は世界各地の油圧作業機を１カ所で集中して管理するメンテナンスセンターとすることもできる。
図３は本実施の形態の大型油圧ショベル１のエンジンモニタ部２１で行われる処理のメインフローチャートである。
【００３８】
図３において、まず、エンジン１３が起動状態であるかどうかを判定する（Ｓ１１０）。この判定は例えばエンジン回転数センサー２３で検出したエンジン回転数が所定レベル以上にあるかどうかにより行う。エンジン１３が起動していないと判定された場合はその判定処理をが繰り返す。一方、エンジン１３が起動していると判定された場合は、オートアイドルスイッチ２４がＯＦＦであるかどうか、スロットルダイヤル２２からのスロットル位置情報が最大であるかどうか、電気レバー制御部１９からブーム上げ操作が指示されたかどうかを判定する（Ｓ１２０）。これら３つの判定の１つでも否定されると次の処理には移行せず、ステップ１２０の判定処理を繰り返す。
【００３９】
ここで、上記３つの判定を行う目的は、エンジン目標回転数が一定であるときにエンジン１３に予め定められたときの負荷が投入された回転数変化を検出するためである。つまり、オートアイドルスイッチ２４がＯＦＦであるかどうかを判定し、ＯＮのときは次の処理に移行しないことにより、アイドルモードでエンジン回転数がアイドル回転数に低下した場合を除外する。また、スロットルダイヤル２２からのスロットル位置情報が最大であるかどうかを判定し、それ以外のときは次の処理に移行しないことにより、エンジン１３が最大回転数以外の回転数にあるときを除外する。そして、ブーム上げ操作が指示されたかどうかを判定し、ブーム上げ操作以外のときは次の処理に移行しないことにより、ブーム上げ以外の異なる種類の負荷が投入された場合を除外する。ここで、ブーム上げは比較的負荷変動の少ない操作である。よって、そのような３つの判定により、エンジン目標回転数が一定（最大）であるときに、エンジン１３に予め定められた負荷が投入されたときの回転数変化を検出することが可能となる。
【００４０】
上記の３つの判定がすべて肯定された場合には、その後所定時間例えば５秒間経過したかどうかを判定し（Ｓ１３０）、５秒間経過するとエンジン回転数センサー２３で検出したエンジン１３の実回転数をエンジン制御部２０から入力し、エンジンモニタ部２１のメモリに記録する（Ｓ１４０）。所定時間経過したかどうか判定する目的は、負荷投入時のエンジン回転数変化の過渡的な状態を除外するためである。続いて、オーバーホールデータ作成処理（Ｓ１５０）と異常検出処理（Ｓ１６０）を行い、以後、ステップＳ１２０〜Ｓ１６０の処理を繰り返す。
【００４１】
ここで図４を用いて、ブーム上げ操作時のエンジン１３の回転数の変化について説明する。図４はオートアイドルスイッチＯＦＦ、スロットルダイヤル最大の状態で操作レバー装置に非操作状態から、ブーム上げ操作を入力し、その後非操作状態に戻した場合のエンジンの実回転数の変化を示す図である。
図４において、縦軸はエンジン回転数、横軸は経過時間ｔを示す。上記のようにエンジン１３には電子制御ガバナー１４が設けられており、エンジン制御部２０はスロットルダイヤル２２の位置情報（目標回転数）とエンジン回転数センサー２３の検出信号（実回転数）とから燃料噴射量を算出し、それを基に電子制御ガバナー１４に制御信号を入力し、エンジン１３を目標回転数に制御している。この場合、エンジン１３が無負荷状態にあるときは、エンジン回転数は目標回転数より高いハイアイドル回転数となる。ここで操作レバー装置１８にブーム上げ操作が入力されると（ｔ１）、エンジン１３の回転数が一瞬落ち込むラグダウンという現象が起こる（ｔ１〜ｔ２）。これはエンジン１３が無負荷状態のときにはエンジン１３の回転数は上記のように、ハイアイドルの状態にあり、かつこの状態でのエンジン１３への燃料供給量が少ないのに対し、エンジン１３に急に負荷が加わったときは電子制御ガバナー１４は燃料を多く供給しようとするが、その制御には応答遅れがあるため、燃料の供給量が過渡的に不足するからである。そして、その後燃料供給が増加するに従ってエンジン回転数は上昇し、定格回転数（目標回転数）に達する（ｔ２〜ｔ３）。その後、操作レバー装置１８を中立位置に戻すまで定格回転数が維持され（ｔ３〜ｔ５）、その後エンジン回転数はハイアイドルに戻る。
【００４２】
このように無負荷状態から操作を行うと、エンジン回転数は過渡的に大きく低下するため、本実施の形態では、図３のステップＳ１３０、Ｓ１４０において、所定時間（例えば５秒）経過後にエンジン回転数を測定し、定格回転時の安定したエンジン回転数を測定するものである。
【００４３】
なお、本実施の形態では投入された負荷の種類としてブーム上げ操作を例にしているが、これはブーム上げが最も負荷の大きさの変動が少ないからである。しかし負荷の大きさの変動が少なければ、ブーム上げ以外の負荷を検出してもよい。また、エンジン回転数の測定として定格回転数を測定しているが、エンジン回転数が最大に落ち込んだ時間ｔ２のタイミングをとらえ、このときの回転数を測定してもよい。
【００４４】
図５は図３のオーバーホールデータ作成処理Ｓ１５０の詳細を示すフローチャートである。
図５において、まず前回のオーバーホールデータ作成処理から１日経過したかどうかの判定を行う（Ｓ２１０）。１日経過していなければこの処理を抜け、図３の異常検出処理Ｓ１６０に移行する。１日経過した場合には、図３のステップＳ１４０で測定し記録したエンジン回転数の１日の平均値Ｄ１（以下平均値Ｄ１という）を算出し（Ｓ２２０）、算出した平均値Ｄ１を管理事務所２８の演算表示装置２９に送信する処理を行う（Ｓ２３０）。
【００４５】
図６は図３の異常検出処理Ｓ１６０の詳細を示すフローチャートである。
図６において、まず前回の異常検出処理から３０分経過したかどうかの判定を行う（Ｓ３１０）。３０分経過していなければこの処理を抜け、図３のメインフローチャートに戻り、ステップＳ１２０から、図３の処理を繰り返す。３０分経過した場合には、エンジン回転数の３０分の平均値Ｄ２（以下平均値Ｄ２とする）を算出し（Ｓ３２０）、算出した平均値Ｄ２をエンジンモニタ部２１のメモリに記録すると共に、演算表示装置２９に送信する（Ｓ３３０）。次に、エンジンモニタ部２１に記録された平均値Ｄ２は警告発生基準回転数Ｎ２と比較され、平均値Ｄ２が警告発生基準回転数Ｎ２より低下していなければ処理を抜け、図３のメインフローチャートに戻り、ステップＳ１２０から、図３の処理を繰り返す。
【００４６】
ここで、警告発生基準回転数Ｎ２はエンジン１３の異常を判定するための基準値であり、この警告発生基準回転数Ｎ２より平均値Ｄ２が低下した場合には、速やかに何らかの処置を必要とする異常が発生したと判定する。ここでエンジン１３の異常とは例えば突発的なピストンリングや吸排気バルブ等の損傷であり、警告発生基準回転数Ｎ２の基準値としては後述するオーバーホール実施時期の判定のために設定された警告回転数Ｎ１より低い回転数が設定される。
【００４７】
上記の判定で平均値Ｄ２が警告発生基準回転数Ｎ２より低下した場合には警告出力を行う（Ｓ３５０）。警告出力には二種類あり、１つはインジケータ２５を点灯し、作業者に知らせるインジケータ出力であり、もう１つは管理事務所２８の演算表示装置２９に送信し管理者に伝える警告送信である。これにより作業者はエンジン１３の異常を知り、早急にエンジン１３を停止させる等の処置を行うことができるとともに、管理事務所２８側でも事態を把握し、適切な処理を行うことができる。警告出力を行った後は図３のメインフローチャートに戻り、ステップＳ１２０から、図３の処理を繰り返す。
【００４８】
図７は管理事務所２８に設置された演算表示装置２９の処理を示すフローチャートである。
図７において、油圧ショベル１から平均値Ｄ１を受信したかどうかの判定を行い（Ｓ４１０）、受信していない場合には、ステップＳ４６０に進み、受信した場合には平均値Ｄ１を演算表示装置２９のメモリに記録する（Ｓ４２０）。続いて前回の平均値Ｄ３を算出した日から３０日経過したかどうかの判定を行い（Ｓ４３０）、３０日経過していなければ、ステップＳ４６０に進み、３０日経過していれば、演算表示装置２９のメモリに記録した平均値Ｄ１の３０日の平均値Ｄ３（以下平均値Ｄ３という）を算出する（Ｓ４４０）。そして平均値Ｄ３を演算表示装置２９のメモリに記録し、かつ演算表示装置２９に表示される表示内容１のデータの変更を行う（Ｓ４５０）。
【００４９】
続いて、油圧ショベル１から平均値Ｄ２を受信したかどうかの判定を行い（Ｓ４６０）。受信していない場合にはステップＳ４８０に進み、受信した場合には平均値Ｄ２を演算表示装置２９のメモリに記録し、かつ演算表示装置２９に表示される表示内容２のデータの変更を行う（Ｓ４７０）。
【００５０】
続いて管理者の指示に応じて演算表示装置２９の画面２９ａに表示内容１あるいは表示内容２のいずれかを表示する（Ｓ４８０）。なお、管理事務所２８が複数の油圧作業機を管理する場合は、どの油圧作業機のデータを表示するかの切り換えもここで行うことができるようになっている。
【００５１】
続いて、図６のステップＳ３５０で送信された警告を受信したかどうかの判定を行い（Ｓ４９０）。警告を受信していない場合には、上記の処理を繰り返し、警告を受信した場合には大型油圧ショベル１で警告が発生したことを演算表示部２９に表示し管理者に知らせる（Ｓ５００）。管理者はこの表示と表示内容２の表示とを総合判断し、大型ショベル１の運転の中止を指示する等の所定の処置を行う。
【００５２】
図８は演算表示装置２９の画面２９ａに表示される表示内容２の一例を示す図である。
図８において縦軸は回転数であり、横軸は日時を示している。黒丸は３０分毎のエンジン回転数の平均値Ｄ２を示している。なお、本実施の形態では３０分毎の平均値を示したが、１時間毎、２時間毎等、その他の時間間隔であってもよい。図７のステップＳ４７０で最新の平均値Ｄ２が記録され、表示内容２のデータ変更処理がなされると、表示内容２もその最新の平均値Ｄ２が表示されるよう変更される。また、図８中点線は図６のステップＳ３４０で用いたエンジン１３の異常を判定するための警告発生回転数Ｎ２である。更に、エンジン回転数の平均値Ｄ２が警告発生回転数Ｎ２より低下すると油圧ショベル側のエンジンモニタ部２１ではエンジン１３が異常であると判定し、インジケータ２５を点灯してそのことを作業者に警告するとともに、管理事務所２８の演算表示装置２９に警告信号を送り、演算表示装置２９では、図７のステップＳ４７０により表示画面にその警告を表示する。図８中の「エンジン異常発生」の文字はその警告表示である。これにより、管理者はエンジン異常が発生した事実とそれに至るまでのエンジン回転数の変化つまりトレンドデータを知ることができ、エンジン異常に対する適切な措置を行うことができる。
【００５３】
図９は演算表示装置２９の画面２９ａに表示されるオーバーホール実施時期の判定のための表示内容１の一例を示す図である。
図９において縦軸は回転数であり、横軸は日時を示している。黒丸は３０日毎の平均値Ｄ３を示している。なお、本実施の形態では３０日毎の平均値を示したが、１０日毎、２０日毎、６０日毎等、その他の日毎であってもよく、または、それぞれに切換可能な構成としてもよい。図７のステップＳ４５０で最新の平均値Ｄ３が記録され、表示内容１のデータ変更処理がなされると、表示内容１もその最新の平均値Ｄ３が表示されるように変更される。また、図９中点線は警告回転数Ｎ１を示している。
【００５４】
一般に大型の油圧ショベル等の建設機械においてはエンジンのシリンダライナーが摩耗すると、エンジン出力が低下して、エンジン負荷率が上昇し、熱負荷が上昇するため、シリンダライナーが焼き付き、エンジン破損に至るケースがある。よって、エンジン出力がある程度低下するとエンジンのオーバーホールを行なう必要がある。ここで、エンジン出力が低下するとエンジン回転数も下がるので、エンジン回転数の低下からエンジン出力の低下を推定しエンジンのオーバーホール実施時期を予測することができる。
【００５５】
警告回転数Ｎ１はこのエンジン回転数の低下からエンジン１３の性能の低下を判定し、オーバーホール実施時期を予測する基準値として設けられたものであり、エンジン回転数がこの警告回転数Ｎ１を下回った場合には、オーバーホール実施が必要であると判断する。この警告回転数Ｎ１はエンジン１３の異常を判定する警告発生回転数Ｎ２より高い回転数に設定される。これにより管理者はエンジン回転数のトレンドデータより低下傾向を解析し、エンジン回転数が警告回転数Ｎ１を下回る時期を予測し、その時期には至らぬようオーバーホールの実施時期を決定することができる。
【００５６】
以上において、図３のステップＳ１２０の処理は前記エンジンに予め定められた負荷が投入されたことを検出する負荷投入検出手段を構成し、図３のステップＳ１３０及びステップＳ１４０の処理は負荷投入検出手段により前記エンジンに予め定められた負荷が投入されたことが検出されると、その検出結果に基づいて回転数検出手段（エンジン回転数センサー２３）の検出値を取り込み、エンジン回転数の一次データとして記憶する第１処理手段を構成し、図３のステップＳ１５０及びステップＳ１６０及び図７のステップＳ４１０〜ステップＳ５００の処理は前記エンジン回転数の一次データを集計し、所定時間毎のエンジン回転数の二次データを作成し、これを前記エンジンの予防保全に係わるエンジン回転数のトレンドデータとして出力する第２処理手段を構成する。
【００５７】
また、図３のステップＳ１５０及び図７のステップＳ４１０〜ステップＳ４５０の処理は前記エンジンの予防保全に係わるエンジン回転数のトレンドデータとして前記エンジンのオーバーホール実施時期に係わるエンジン回転数のトレンドデータを作成する手段を構成し、図７のステップＳ４８０の処理及び画面２９ａは前記エンジン回転数のトレンドデータと前記エンジンのオーバーホール実施時期の判定基準値とを表示する表示手段を構成する。
【００５８】
また、図６のステップＳ３１０〜ステップＳ３３０及び図７のステップＳ４６０〜ステップＳ４７０の処理は前記エンジンの予防保全に係わるエンジン回転数のトレンドデータとして前記エンジン異常に係わるエンジン回転数のトレンドデータを作成する手段を構成し、図７のステップＳ４８０の処理及び画面２９ａは前記エンジン回転数のトレンドデータと前記エンジン異常の判定基準値とを表示する表示手段を構成し、図６のステップＳ３４０〜ステップＳ３５０及び図７のステップＳ４９０〜ステップＳ５００の処理及び画面２９ａ及びインジケータ２５は前記エンジン回転数のトレンドデータと前記エンジンの異常の判定基準値と比較し、警報を出力する警報手段を構成する。
【００５９】
以上のように構成した本実施の形態においては、管理事務所２８側では、図７のステップＳ４８０の処理により、図９の表示内容１が演算表示装置２９の画面２９ａに写し出され、エンジン回転数のオーバーホール実施時期に係わるトレンドデータがその判定基準値とともに表示される。管理者はこの表示内容１を使用することにより、３０日毎の平均値である平均値Ｄ３の変化を読みとり、エンジン回転数のトレンドデータの低下傾向の解析を行なう。このとき、表示内容１には警告回転数Ｎ１が同時に表示されるため、比較が容易に行え、エンジン回転数が警告回転数Ｎ１を下回る時期を正確に予測することができる。これにより、管理者はオーバーホールの実施時期を正確に決定することができ、エンジン１３の予防保全を正確に図ることが可能になる。
【００６０】
また、万一エンジン１３に例えば衝撃によるピストンリングの損傷等の異常が生じエンジン回転数が低下したときは、図３のステップＳ１６０でそのことが検出され、油圧ショベルの作業者はエンジン１３の異常を知り、早急にエンジン１３を停止させる等の処置を行うことができ、これによりエンジン破損を未然に防止することができる。また、管理事務所２８側でも図７のステップＳ４８０の処理により、図８の表示内容２が演算表示装置２９の画面２９ａに写し出され、かつエンジン回転数のトレンドデータとその異常警告が表示される。その結果、管理者はエンジン異常が発生した事実とそれに至るまでのエンジン回転数の変化つまりトレンドデータを知ることができ、エンジン異常に対する適切な措置を行うことができる。
【００６１】
以上のように本実施の形態によれば、エンジン１３の状態を正確に把握して、エンジンの正確な予防保全を図ることができる。
【００６２】
また、エンジン１３のオーバーホール実施時期を正確に予測することができ、オーバーホールのための事前の準備が可能となり、油圧ショベルによる生産作業の中断による影響を最小にとどめることができる。
【００６３】
更に、例えば衝撃によるピストンリングの損傷等のエンジン１３の異常を正確に予測することができ、エンジン破損を未然に防止することができる。
【００６４】
なお、本実施の形態においては大型油圧ショベル１を例に取り説明したが、他の建設機械について本発明の建設機械のエンジン管理装置を実施してもよく、例えば、建設機械としてホイルローダを使用し、予め定められた負荷をリフトアームのチルト操作としてもよい。
【図面の簡単な説明】
【００６５】
【図１】本発明の適用対象となる建設機械の一例として大型油圧ショベルの全体構造を表す側面図である。
【図２】本発明の適用対象となる建設機械のエンジン管理装置の一実施形態の構成を建設機械の油圧駆動装置とともに表す図である。
【図３】本発明の適用対象となる建設機械のエンジン管理装置のエンジンモニタ部で行われる処理のメインフローチャートである。
【図４】本発明の適用対象となる建設機械の一例として大型油圧ショベルにおいて、オートアイドルスイッチＯＦＦ、スロットルダイヤル最大の状態で操作レバー装置に非操作状態から、ブーム上げ操作を入力し、その後非操作状態に戻した場合のエンジンの実回転数の変化を示す図である。
【図５】本発明の適用対象となる建設機械のエンジン管理装置のオーバーホールデータ作成処理を示すフローチャートである。
【図６】本発明の適用対象となる建設機械のエンジン管理装置の異常検出処理を示すフローチャートである。
【図７】本発明の適用対象となる建設機械のエンジン管理装置の管理事務所に設置された演算表示装置の処理を示すフローチャートである。
【図８】本発明の適用対象となる建設機械のエンジン管理装置の管理事務所に設置された演算表示装置に表示される表示内容２の一例を示す図である。
【図９】本発明の適用対象となる建設機械のエンジン管理装置の管理事務所に設置された演算表示装置に表示される表示内容１の一例を示す図である。
【符号の説明】
【００６６】
１  大型油圧ショベル
６  フロント作業機
７  ブーム
１０  ブーム用油圧シリンダ
１３  エンジン
１５  主油圧ポンプ（油圧ポンプ）
１９  電気レバー制御部
２０  エンジン制御部
２１  エンジンモニタ部
２３  エンジン回転数センサー（回転数検出手段）
２５  インジケータ
２９  演算表示装置
【図１】
2005226493.tif 000003
【図２】
2005226493.tif 000004
【図３】
2005226493.tif 000005
【図４】
2005226493.tif 000006
【図５】
2005226493.tif 000007
【図６】
2005226493.tif 000008
【図７】
2005226493.tif 000009
【図８】
2005226493.tif 000010
【図９】
2005226493.tif 000011